【手続補正書】
【提出日】平成14年5月14日(2002.5.14)
【手続補正１】
【補正対象書類名】明細書
【補正対象項目名】特許請求の範囲
【補正方法】変更
【補正の内容】
【特許請求の範囲】
【請求項１】
取引を促進する方法で、
顧客に提供される報賞の申し出を決定することを含み、報賞の申し出は報賞提供者からの利得を伴い、さらに、
顧客に関連する顧客デバイスに記憶すべき報賞申し出に関連する情報を送信することを含み、顧客デバイスは、顧客が商品の購入に関心を示した場合に、報賞の申し出を顧客に出力する取引促進方法。
【請求項２】
前記決定することが、顧客に関連する情報に基づいて報賞の申し出を決定することを含む請求項１に記載された取引促進方法。
【請求項３】
顧客に関連する情報が、（ｉ）顧客に関連する住所、（ｉｉ）顧客に関連する人口統計情報、（ｉｉｉ）顧客に関連するサイコグラフィックス情報、および（ｉｖ）顧客に関連する信用格付けのうち少なくとも１つを含む請求項２に記載された取引促進方法。
【請求項４】
顧客に関連する情報が、顧客と報賞提供者との関連を含む請求項２に記載された取引促進方法。
【請求項５】
顧客に関連する情報が、顧客と第三者との関連を含む請求項２に記載された取引促進方法。
【請求項６】
顧客に関連する情報が、少なくとも１つの以前の取引に関する情報を含む請求項２に記載された取引促進方法。
【請求項７】
顧客に関連する情報が、（ｉ）顧客に提供された以前の申し出、（ｉｉ）顧客が受け入れた以前の申し出、および（ｉｉｉ）顧客が拒否した以前の申し出のうち少なくとも１つに関連する情報を含む請求項２に記載された取引促進方法。
【請求項８】
顧客に関連する情報が、顧客の購入した別の商品に関連する情報を含む請求項２に記載された取引促進方法。
【請求項９】
顧客に関連する情報が、顧客から受け取る情報を含む請求項２に記載された取引促進方法。
【請求項１０】
顧客から受け取る情報が調査情報を含む請求項９に記載された取引促進方法。
【請求項１１】
前記決定することが、
報賞の申し出が顧客に提供されるか決定することを含む請求項１に記載された取引促進方法。
【請求項１２】
前記決定することが、
利得に関連する量を決定することを含む請求項１に記載された取引促進方法。
【請求項１３】
前記決定することが、（ｉ）顧客に関連するデバイス、（ｉｉ）顧客に商品を販売する商店に関連するデバイス、（ｉｉｉ）報賞提供者に関連するデバイス、および（ｉｖ）中央制御装置のうち少なくとも１つによって実行される請求項１に記載された取引促進方法。
【請求項１４】
利得が、（ｉ）商品に関連する元の価格に適用される報賞額、（ｉｉ）現金自動預払機デバイスでの報賞金支払額、および（ｉｉｉ）クレジット・カード口座に支払額のうち少なくとも１つを含む請求項１に記載された取引促進方法。
【請求項１５】
利得が、商品の代わりに顧客に提供される別の商品を備える請求項１に記載された取引促進方法。
【請求項１６】
利得が、商品に加えて顧客に抵抗される別の商品を備える請求項１に記載された取引促進方法。
【請求項１７】
利得が、改良された取引条件を含む請求項１に記載された取引促進方法。
【請求項１８】
取引条件が、（ｉ）保証条件および（ｉｉ）利率条件の少なくとも一方を含む請求項１７に記載された取引促進方法。
【請求項１９】
顧客が、第１商店から商品の購入に関心を示し、報賞提供者が第２商店を含む請求項１に記載された取引促進方法。
【請求項２０】
利得が顧客によるタスクの実行を伴う、請求項１に記載された取引促進方法。
【請求項２１】
タスクが（ｉ）サービスを申し込むことと（ｉｉ）サービスに加入することとの少なくとも１つを含む請求項２０に記載された取引促進方法。
【請求項２２】
サービスが、（ｉ）電話サービス、（ｉｉ）インターネット・サービス、（ｉｉｉ）銀行業務サービス、（ｉｖ）クレジット・カード口座サービス、（ｖ）保険サービス、（ｖｉ）証券取引サービス、（ｖｉｉ）衛星テレビ・サービス、および（ｖｉｉ）ケーブル・テレビ・サービスの少なくとも１つを含む請求項２１に記載された取引促進方法。
【請求項２３】
タスクが、（ｉ）別の商品を購入すること、（ｉｉ）ウェブ・ページにアクセスすること、（ｉｉｉ）商店を訪れること、（ｉｖ）電話番号にダイヤルすること、および（ｖ）質問に答えることの少なくとも１つを含む請求項２０に記載された取引促進方法。
【請求項２４】
顧客デバイスが、（ｉ）携帯用コンピュータ、（ｉｉ）パーソナル・ディジタル・アシスタント、（ｉｉｉ）スマート・カード・デバイス、および（ｉｖ）顧客記憶デバイスの少なくとも１つを備える請求項１に記載された取引促進方法。
【請求項２５】
報賞申し出に関連する情報が報賞の申し出の説明を含む請求項１に記載された取引促進方法。
【請求項２６】
報賞の申し出が報賞申し出規則を伴い、顧客が報賞申し出規則に従い商品の購入に関心を示すと、顧客デバイスが報賞の申し出を顧客に出力する請求項１に記載された取引促進方法。
【請求項２７】
報賞申し出規則が、（ｉ）特定の商品、（ｉｉ）商品カテゴリ、（ｉｉｉ）元の商品価格、（ｉｖ）商店、（ｖ）地理的位置、および（ｖｉ）顧客によるタスクの実行の少なくとも１つを含む請求項２６に記載された取引促進方法。
【請求項２８】
顧客が商品の購入に関心があるという表示が、商品価格の要求を含む請求項１に記載された取引促進方法。
【請求項２９】
顧客が商品の購入に関心があるという表示が、商品購入の要求を含む請求項１に記載された取引促進方法。
【請求項３０】
顧客が商品の購入に関心があるという表示が、顧客が商品に関する情報にアクセスしているという表示を含む請求項１に記載された取引促進方法。
【請求項３１】
顧客が商品の購入に関心があるという表示が、
顧客デバイスに記憶された情報と、
顧客に関連する入力デバイスからの表示と、
顧客が商品に関する情報を見ているという表示と、
顧客が所定の時間にわたって商品に関する情報を見たという表示と、
顧客が商品に対する支払いを提供しているという表示と、
商品がショッピング・カートにあるという表示と、
商品が仮想ショッピング・カートにあるという表示と、
検索条件と、
顧客がもう商品の購入に関心がないという表示と、
顧客が元の価格では商品を購入しないという表示と、
顧客が別の商品の購入に関心があるという表示と、
顧客が別の商店から商品を購入しているという情報と、
商品に対する付け値と、
顧客が決定した商品の価格を含む、商品購入の申し出と、
第２の顧客が商品の購入に関心があるという表示とのうち少なくとも１つを含む請求項１に記載された取引促進方法。
【請求項３２】
前記送信することが、（ｉ）ウェブ・ページ、（ｉｉ）顧客に関連するパーソナル・コンピュータ、（ｉｉｉ）電話、（ｉｖ）ＰＯＳ端末、（ｖ）現金自動預払機デバイス、（ｖｉ）電子メール・メッセージ、および（ｖｉｉ）キオスクの少なくとも１つを介して実行される請求項１に記載された取引促進方法。
【請求項３３】
前記送信が、顧客が商品の購入への関心を示した場合に基づいて実行される請求項１に記載された取引促進方法。
【請求項３４】
前記決定することが、複数の報賞の申し出を決定することを含み、前記送信することが、複数の報賞の申し出それぞれに関連する情報を顧客デバイスに送信することを含む請求項１に記載された取引促進方法。
【請求項３５】
前記送信することが、顧客が商品の購入に関心を示す前に実行される請求項１に記載された取引促進方法。
【請求項３６】
さらに、
報賞の申し出が顧客に出力される前に、報賞の申し出を削除するよう情報を送信することを含む請求項３５に記載された取引促進方法。
【請求項３７】
報賞申し出に関連する情報が、さらに、報賞の申し出満了日を含む請求項３５に記載された取引促進方法。
【請求項３８】
さらに、
報賞の申し出状態情報を受け取ることを含む請求項１に記載された取引促進方法。
【請求項３９】
前記受け取ることが、顧客デバイスから報賞の申し出状態情報を受け取ることを含む請求項３８に記載された取引促進方法。
【請求項４０】
報賞の申し出状態情報が、顧客が報賞の申し出を受け入れたという表示を含む請求項３８に記載された取引促進方法。
【請求項４１】
さらに、
報賞の申し出状態情報に応答して、顧客が利得を受け取るよう手配することを含む請求項４０に記載された取引促進方法。
【請求項４２】
利得が、顧客によるタスクの実行を伴い、さらに、
顧客がタスクを実行しない場合、顧客が罰金を提供するよう手配することを含む請求項４１に記載された取引促進方法。
【請求項４３】
報賞の申し出状態情報が、顧客が報賞の申し出を受け入れなかったという表示を含む請求項３８に記載された取引促進方法。
【請求項４４】
さらに、
報賞の申し出に関連する報賞の申し出回収コードを顧客に送信することを含む請求項１に記載された取引促進方法。
【請求項４５】
利得が、顧客によるタスクの実行を伴い、顧客がタスクを実行した後、顧客デバイスが報賞の申し出回収コードを出力する請求項４４に記載された取引促進方法。
【請求項４６】
さらに、
報賞の申し出回収コードを受け取ることを含む請求項１に記載された取引促進方法。
【請求項４７】
前記受け取ることが、顧客デバイスに記憶された報賞の申し出回収コードを受け取ることを含む請求項４６に記載された取引促進方法。
【請求項４８】
さらに、
前記報賞の申し出回収コードを受け取ったことに応答して、顧客が利得を受け取るよう手配することを含む請求項４６に記載された取引促進方法。
【請求項４９】
利得が顧客によるタスクの実行を伴い、さらに、
顧客がタスクを実行しない場合、顧客が罰金を提供するよう手配することを含む請求項４８に記載された取引促進方法。
【請求項５０】
前記決定すること、および前記送信することが、報賞提供者デバイスによって実行され、前記送信することが、報賞申し出に関連する情報を、（ｉ）中央制御装置および（ｉｉ）顧客デバイスの少なくとも１つに送信することを含む請求項１に記載された取引促進方法。
【請求項５１】
前記決定すること、および前記送信することが、中央制御装置が実行され、前記実行することが、報賞提供者デバイスから受け取った情報に基づき、前記送信することが、報賞申し出に関連する情報を顧客デバイスに送信することを含む請求項１に記載された取引促進方法。
【請求項５２】
取引を処理する装置で、
プロセッサと、
前記プロセッサと通信し、前記プロセッサが実行するようになっている命令を記憶する記憶装置とを備え、それによって、
顧客に提供される報賞の申し出を決定し、報賞の申し出は報賞提供者からの利得を伴い、さらに、
顧客に関連する顧客デバイスに記憶すべき報賞申し出に関連する情報を送信し、顧客デバイスは、顧客が商品の購入に関心を示すと、顧客に報賞の申し出を出力する装置。
【請求項５３】
前記記憶デバイスが、さらに、（ｉ）報賞提供者データベース、（ｉｉ）報賞提供者規則データベース、（ｉｉｉ）中央報賞金データベース、（ｉｖ）中央報賞金規則データベース、および（ｖ）中央発行の報賞の申し出データベースのうち少なくとも１つを記憶する請求項５２に記載の装置。
【請求項５４】
取引を促進する方法を実行するため、プロセッサが実行するようになっている命令を記憶する媒体で、前記方法が、
顧客に提供すべき報賞の申し出を決定することを含み、報賞の申し出は、報賞提供者からの利得を伴い、さらに、
顧客に関連する顧客デバイスに記憶される報賞申し出に関連する情報を送信することを含み、顧客デバイスは、顧客が商品の購入に関心を示すと、顧客に報賞の申し出を出力する媒体。
【請求項５５】
取引を促進する方法で、
顧客に提供される報賞の申し出を決定することを含み、報賞の申し出が、（ｉ）元の価格に適用される報賞提供者からの報賞金量、および（ｉｉ）顧客が実行すべきタスクを伴い、さらに、
顧客に関連する顧客デバイスに記憶すべき、報賞の申し出に関連する報賞の申し出の説明を送信することと、
顧客デバイスに記憶すべき顧客規則を送信することとを含み、顧客デバイスは、顧客規則に従い顧客が商品の購入に関心があるとの商店からの表示に応答して、報賞の申し出の説明を顧客に出力する方法。
【請求項５６】
前記決定すること、および前記送信することのそれぞれが、報賞提供者デバイスによって実行される請求項５５に記載された取引促進方法。
【請求項５７】
前記決定すること、および前記送信することのそれぞれが、中央制御装置によって実行され、さらに、
顧客デバイスに記憶すべき回収コードを送信することを含み、顧客デバイスは、顧客がタスクを実行したという表示に応答して、回収コードを出力し、さらに、
顧客デバイスに記憶される報賞の申し出状態情報を受け取ることを含む請求項５５に記載された取引促進方法。
【請求項５８】
取引を促進する方法で、
報賞申し出に関連する情報を顧客デバイスで受け取ることを含み、報賞の申し出が報賞提供者からの利得を伴い、さらに、
顧客が商品の購入に関心があるという表示を顧客デバイスで受け取ることと、
表示に応答して報賞の申し出を顧客に出力することを含む方法。
【請求項５９】
顧客デバイスが、（ｉ）携帯用コンピュータ、（ｉｉ）パーソナル・ディジタル・アシスタント、（ｉｉｉ）スマート・カード・デバイス、（ｉｖ）無線電話、および（ｖ）顧客記憶デバイスの少なくとも１つを備える請求項５８に記載された取引促進方法。
【請求項６０】
さらに、
報賞申し出に関連する情報を顧客デバイスで記憶することを含む請求項５８に記載された取引促進方法。
【請求項６１】
複数の報賞申し出に関連する情報が、顧客デバイスに記憶される請求項６０に記載された取引促進方法。
【請求項６２】
さらに、
顧客が法品の購入に関心があるという表示を受け取ると、顧客に出力される少なくとも１つの報賞の申し出を決定するため、複数の報賞申し出に関連する情報を評価することを含む請求項６１に記載された取引促進方法。
【請求項６３】
複数の報賞の申し出が顧客に出力される請求項５８に記載された取引促進方法。
【請求項６４】
さらに、
複数の報賞の申し出のうち少なくとも１つの選択肢を顧客から受け取ることを含む請求項６３に記載された取引促進方法。
【請求項６５】
さらに、
顧客が報賞の申し出を受け入れたという表示を受け取ることを含む請求項５８に記載された取引促進方法。
【請求項６６】
さらに、
顧客が報賞の申し出を受け入れたという表示に基づき、報賞の申し出回収コードを出力することを含む請求項６５に記載された取引促進方法。
【請求項６７】
さらに、
報賞の申し出に関連した報賞の申し出回収コードを顧客デバイスで受け取ることを含む請求項６６に記載された取引促進方法。
【請求項６８】
さらに、
顧客デバイスで報賞の申し出回収コードを生成することを含む請求項６６に記載された取引促進方法。
【請求項６９】
利得が、顧客によるタスクの実行を伴い、さらに、
顧客がタスクを実行した後、報賞の申し出回収コードを出力することを含む請求項６５に記載された取引促進方法。
【請求項７０】
さらに、
顧客が利得を受け取るよう手配することを含む請求項５８に記載された取引促進方法。
【請求項７１】
取引を処理する装置で、
プロセッサと、
前記プロセッサと通信し、前記プロセッサが実行するようになっている命令を記憶する記憶装置とを備え、それによって、
顧客デバイスで報賞申し出に関連する情報を受け取り、報賞の申し出は報賞提供者からの利得を伴い、さらに、
顧客が商品の購入に関心があるという表示を顧客デバイスで受け取り、
表示に応答して、報賞の申し出を顧客に出力する装置。
【請求項７２】
前記記憶デバイスが、さらに、（ｉ）顧客報賞の申し出データベースおよび（ｉｉ）顧客報賞申し出規則データベースの少なくとも１つを記憶する請求項７１に記載された取引を処理する装置。
【請求項７３】
取引を促進する方法を実行するため、プロセッサが実行するようになっている命令を記憶する媒体で、前記方法が、
報賞申し出に関連する情報を顧客デバイスで受け取ることを含み、報賞の申し出が報賞提供者からの利得を伴い、さらに、
顧客が商品の購入に関心があるという表示を顧客デバイスで受け取ることと、
表示に応答して、報賞の申し出を顧客に出力することとを含む媒体。
【請求項７４】
取引を促進する方法で、
報賞の申し出に関連する報賞の申し出の説明を受け取ることを含み、報賞の申し出が、（ｉ）元の価格に適用される報賞提供者の報賞額、および（ｉｉ）顧客が実行留タスクに関連し、さらに、
顧客規則を受け取ることと、
回収コードを受け取ることと、
顧客規則に従い顧客が商品の購入に関心があるという商店からの表示に応答して、報賞の申し出の説明を顧客に出力することと、
顧客がタスクを実行したという表示に応答して、回収コードを出力することと、
報賞の申し出状態情報を出力することとを含む取引促進方法。
【請求項７５】
取引を処理する方法で、
顧客デバイスから報賞の申し出回収コードを受け取ることを含み、報賞の申し出回収コードが、報賞提供者からの利得を伴い、さらに、
報賞の申し出回収コードを評価することと、
評価に基づき、顧客が利得を受け取るよう手配することとを含む取引を処理する方法。
【請求項７６】
前記受け取ることが、顧客の商品購入時にＰＯＳ端末により実行される請求項７５に記載された取引を処理する方法。
【請求項７７】
利得が、商品の購入に適用される報賞額を含む請求項７６に記載された取引を処理する方法。
【請求項７８】
前記受け取ることが、現金自動預払機デバイスによって実行され、利得が報賞額の支払いを含む請求項７５に記載された取引を処理する方法。
【請求項７９】
前記評価が、
回収コードに関連する情報を第三者に送信することと、
第三者から報賞の申し出回収コードの評価を受け取ることとを含む請求項７５に記載された取引を処理する方法。
【請求項８０】
回収コードが利得に関連する情報を含む請求項７５に記載された取引を処理する方法。
【請求項８１】
前記受け取ること、評価すること、および手配することが、ＰＯＳ端末で実行される請求項７５に記載された取引を処理する方法。
【請求項８２】
前記受け取ること、評価すること、および手配することが、現金自動預払機デバイスによって実行される請求項７５に記載された取引を処理する方法。
【請求項８３】
取引を処理する装置で、
プロセッサと、
前記プロセッサと通信し、前記プロセッサが実行するようになっている命令を記憶する記憶装置とを備え、それによって、
顧客デバイスから報賞の申し出回収コードを受け取り、報賞の申し出回収コードは報賞提供者からの利得を伴い、さらに、
報賞の申し出回収コードを評価し、
評価に基づき、顧客が利得を受け取るよう手配する取引を処理する装置。
【請求項８４】
前記記憶デバイスが、さらに、回収済み報賞の申し出データベースを記憶する請求項８３に記載の装置。
【請求項８５】
取引を促進する方法を実行するため、プロセッサが実行するようになっている命令を記憶する媒体で、前記方法が、
報賞の申し出回収コードを顧客デバイスから受け取ることを含み、報賞の申し出回収コードが、報賞提供者からの利得を伴い、さらに、
報賞の申し出回収コードを評価することと、
評価に基づき、顧客が利得を受け取るよう手配することとを含む媒体。
【請求項８６】
データ処理装置で実行可能なプログラムによってアクセス可能なデータを記憶するコンピュータ読み取り可能な媒体で、データはデータ構造に従って構成され、データ構造が、
報賞の申し出を表す報賞の申し出の説明データ・オブジェクトと、
顧客規則を表し、前記報賞の申し出の説明データ・オブジェクトからアクセス可能な顧客規則データ・オブジェクトとを含み、顧客規則に従い、顧客が商品の購入に関心を示すと、前記報賞の申し出の説明データ・オブジェクトが顧客に出力され、さらに、
前記報賞の申し出の説明データ・オブジェクトからアクセス可能である回収コード・データ・オブジェクトを含み、顧客が報賞の申し出を受け入れ、報賞の申し出に関連するタスクを実行した後、前記回収コード・データ・オブジェクトが顧客に出力される媒体。
【請求項８７】
データ処理装置で実行可能なプログラムによってアクセス可能なデータを記憶するコンピュータ読み取り可能な媒体で、データはデータ構造に従って構成され、データ構造が、
報賞の申し出を表す報賞の申し出の説明データ・オブジェクトと、
前記報賞の申し出の説明データ・オブジェクトと関連し、顧客が実行すべき報賞金タスクを表す報賞金タスク・データ・オブジェクトと、
前記報賞の申し出の説明データ・オブジェクトに関連し、顧客に提供される報賞金利得を表す報賞金利得データ・オブジェクトと、
前記報賞の申し出の説明データ・オブジェクトに関連し、それ以降は報賞の申し出が顧客に提供されない日付を表す報賞の申し出満了日データ・オブジェクトとを含む媒体。
【請求項８８】
取引を促進する方法で、
複数の報賞の申し出に関連する複数の報賞の申し出の説明を受け取ることを含み、各報賞の申し出が、（ｉ）元の価格に適用される報賞提供者からの報賞額、および（ｉｉ）顧客が実行すべきタスクに関連し、さらに、
複数の顧客規則を受け取ることと、
複数の回収コードを受け取ることと、
複数の顧客規則の１つに従い、顧客が商品の購入に関心があるという商店からの表示に応答して、複数の報賞の申し出の説明のうち１つを顧客に出力することと、
顧客が出力された報賞の申し出の説明に関連したタスクを実行したという表示に応答して、複数の回収コードのうち１つを出力することと、
報賞の申し出状態情報を出力することとを含む取引促進方法。
【請求項８９】
複数の報賞の申し出が複数の報賞提供者に関連する請求項８８に記載された取引促進方法。